(57)【要約】【課題】  ワイヤレスで撮影レンズを遠隔操作するために必要な受信装置が、あらゆる撮影機材に装着可能であり、また様々な撮影スタイルにおいても撮影操作の妨げにならずに装着できるようにする。【解決手段】  本発明の撮像装置は、撮像光学系を含む撮影レンズと、前記撮影レンズに着脱可能に構成され、前記撮影レンズからの光を受光する撮像素子を含む撮影カメラと、前記撮影レンズに対してケーブルで接続され、遠隔操作装置からの操作信号を受信する受信装置と、を備え、前記操作信号に応じて前記撮影レンズ又は前記撮影カメラを制御可能な撮像装置であって、前記受信装置は、互いに異なる複数の方法で、前記受信装置を前記撮影レンズあるいは前記撮影カメラに対して固定できるように構成されていることを特徴としている。【選択図】  図３
2011223310.tif 000002
【特許請求の範囲】
【請求項１】
撮像光学系を含む撮影レンズと、前記撮影レンズに着脱可能に構成され、前記撮影レンズからの光を受光する撮像素子を含む撮影カメラと、前記撮影レンズに対してケーブルで接続され、遠隔操作装置からの操作信号を受信する受信装置と、を備え、前記操作信号に応じて前記撮影レンズ又は前記撮影カメラを制御可能な撮像装置であって、
前記受信装置は、互いに異なる複数の方法で、前記受信装置を前記撮影レンズあるいは前記撮影カメラに対して固定できるように構成されていることを特徴とする撮像装置。
【請求項２】
前記受信装置は、該受信装置を該撮影レンズあるいは該撮影カメラに対して第１の方法で固定するために使われる第１部位と、該受信装置を該撮影レンズあるいは該撮影カメラに対して前記第１の方法とは異なる第２の方法で固定するために使われる第２部位と、を有していることを特徴とする撮像装置。
【請求項３】
前記第１部位は、ネジ穴であり、前記第２部位は、第１方向の長さが該第１方向とは垂直な第２方向の長さよりも長く、前記受信装置を貫通する穴である、ことを特徴とする請求項２記載の撮像装置。
【請求項４】
前記複数の固定方法の一つが、前記受信装置に設けられた２つの貫通穴の両方にベルトを通し、該撮影カメラ、あるいは該撮影レンズの外周を前記ベルトで囲うことで該受信装置を固定する固定方法であることを特徴とする請求項１乃至３いずれかに記載の撮像装置。
【請求項５】
前記複数の固定方法の一つが、該受信装置の筐体にアダプター部材を固定し、該アダプター部材を、該撮影カメラのビューファインダーと該ビューファインダーの固定に用いる固定ネジとの間に挿入し、該固定ネジを締めつけることで該受信装置を該撮影カメラのビューファインダーの上部に配置する固定方法であることを特徴とする請求項１乃至４いずれかに記載の撮像装置。
【発明の詳細な説明】
【技術分野】
【０００１】
本発明は撮像装置に関し、特にテレビ撮影に用いられるテレビレンズを遠隔から無線で制御することが可能な撮像装置に関する。
【背景技術】
【０００２】
テレビカメラを三脚で支持して撮影する場合、撮影レンズは遠隔操作用のコントローラを用いてズーム操作やフォーカス操作をする。一般的に三脚にはカメラの撮影方向を調整するために操作するパン棒が備えてあり、パン棒の先端に固定したズームコントローラー、あるいはフォーカスコントローラーと撮影レンズはケーブルで電気的に接続される。カメラマンは手元のズームコントローラーとフォーカスコントローラーを操作して、撮影レンズに内蔵したモータを制御し、ズームとフォーカスを調整する。
【０００３】
一方、ズームやフォーカスのコントローラーと撮影レンズをケーブル接続ではなく、ワイヤレスで通信する撮像装置も提案されている
例えば、特許文献１ではスタジオ撮影で用いる大型の撮影レンズの側面にワイヤレス受信装置を設け、カメラマンの手元のコントローラとワイヤレス通信することでレンズを制御している。ケーブルが撮影操作の妨げになることから解放されると同時にケーブル接続が不要となるため、撮影システムの設置が楽になるメリットがある。
【０００４】
また特許文献２では、肩担ぎ用のハンディレンズを遠隔から操作するワイヤレスリモコン装置も提案されている。撮影レンズのグリップ部に設けたコネクタに小型の受信ユニットを接続し、三脚のパン棒に取り付けたリモートコントローラーからの信号をワイヤレスで通信する装置である。ハンディカメラを用いたスタジオ撮影では、三脚に設置して撮影しているテレビカメラを、カメラマンが突然肩担ぎ撮影するケースがある。撮影レンズとコントローラをケーブル接続している場合は、レンズ装置からケーブルを取り外す作業が必要なため、迅速に肩担ぎ撮影に移行できない問題があった。特許文献２では、撮影レンズとコントローラをワイヤレス通信することで、三脚を用いたカメラ撮影と、カメラを肩に担いで撮影する時を迅速に切換えることが可能になることを例示している。
【先行技術文献】
【特許文献】
【０００５】
【特許文献１】特開平５−１３７０４３
【特許文献２】特開２００６−３３２８４
【発明の概要】
【発明が解決しようとする課題】
【０００６】
三脚に設置してワイヤレス制御している撮影カメラを、カメラマンが素早く三脚から取り外して肩担ぎ撮影する場合は、撮影レンズは手動で操作することになる。即ち、撮像装置に着脱自在に装着されるワイヤレス通信装置は不要となるが、取り外す時間の余裕もなく撮影は続けられる。そのため、ワイヤレス通信装置は撮影操作の邪魔になってはならない。
【０００７】
カメラマンが放送用のハンディカメラを用いて手持ち撮影する場合、様々な撮影スタイルがある。ハンディカメラを撮影者の肩に担ぎ、撮影レンズのグリップ部を右手で保持し、左手でズームやフォーカスを手動操作する運用方法が一般的である。低い姿勢から被写体を撮影する場合には、カメラ上部の取手を右手で掴み、カメラを膝元に抱えながら低いアングルから撮影する。この様に撮影環境に応じて操作スタイルは様々であるが、ワイヤレス制御に必要な受信装置が、手動で撮影操作する時の邪魔にならないことが望ましい。
【０００８】
特許文献１ではワイヤレス通信に必要な受信ユニットが撮影レンズの側面に固定されている。三脚撮影が前提のスタジオ用の箱型レンズでは問題ないが、肩担ぎ用のハンディカメラでは、撮影レンズの外装面にズームやフォーカスの操作リングがある。このため撮影レンズの近傍に受信ユニットを設けることは、レンズ操作に妨げになり実用的ではない。
【０００９】
また特許文献２では、ハンディレンズのグリップに設けたコネクタに、着脱可能なワイヤレス受信ユニットが装着されている。しかしながらハンディカメラを肩担ぎする時に右手で保持するグリップに受信ユニットを設けることは、受信ユニットが右手に接触する可能性がある。受信ユニットが小型であれば問題ないが、撮影レンズをクレーンに乗せて撮影する時など、比較的長い通信距離を確保するには受信ユニットの大型化は避けられない。そのため受信ユニットを撮影レンズのグリップ近傍に設けることは、撮影レンズを保持する手に接触し、撮影レンズを右手で保持する時の妨げになる可能性がある。
【００１０】
さらに受信ユニットを着脱自在に取り付ける対象となる撮影レンズ、あるいは撮影カメラの形状は様々である。あらゆる形状の撮影機材に対して、着脱自在に装着できなければならない。またカメラの肩担ぎ撮影や低い姿勢からの撮影など、あらゆる撮影スタイルにおいても、受信ユニットが撮影操作の妨げにならないことが望ましい。
【００１１】
本発明は上記課題を克服するために考案されたものである。撮影レンズのワイヤレス操作に必要な受信装置をあらゆる撮影機材に着脱自在に装着することができ、また様々な撮影スタイルにおいても撮影操作の妨げにならずに快適な撮影環境を提供することを目的としている。
【課題を解決するための手段】
【００１２】
上述の目的を達成するために、本発明に関わる撮像装置は、撮像光学系を含む撮影レンズと、前記撮影レンズに着脱可能に構成され、前記撮影レンズからの光を受光する撮像素子を含む撮影カメラと、前記撮影レンズに対してケーブルで接続され、遠隔操作装置からの操作信号を受信する受信装置と、を備え、前記操作信号に応じて前記撮影レンズ又は前記撮影カメラを制御可能な撮像装置であって、前記受信装置は、互いに異なる複数の方法で、前記受信装置を前記撮影レンズあるいは前記撮影カメラに対して固定できるように構成されていることを特徴としている。
【発明の効果】
【００１３】
ワイヤレスで撮影レンズを遠隔操作するために必要な受信装置が、あらゆる撮影機材に装着可能であり、また様々な撮影スタイルにおいても撮影操作の妨げにならずに装着できる。その結果、カメラの三脚撮影時だけでなくカメラを手持ち撮影する場合においても使い勝手の良い撮影環境を提供することができる。
【図面の簡単な説明】
【００１４】
【図１】ワイヤレス通信装置を用いた撮像装置のシステム構成図
【図２】受信装置の外観図
【図３】受信装置の取り付け構造図
【図４】受信装置のカメラ取り付け外観図
【図５】受信装置のベルト取り付け図
【図６】受信装置のカメラ取り付け外観図
【図７】受信装置の取り付け構造図
【図８】受信装置のカメラ取り付け外観図
【発明を実施するための形態】
【００１５】
以下に本発明の実施の形態を添付の図面に基づいて詳細に説明する。
【実施例１】
【００１６】
図１は本発明に関わるワイヤレス通信装置を利用した撮像装置（撮影システム）の全体構成を表すシステム構成図である。図中１のカメラ（撮影カメラ、カメラ本体）は、不図示の（レンズ装置からの光を受光する、レンズ装置からの被写体光を受光する）撮像素子を備えており、この撮像素子上に結像された被写体の像を電気信号に変換したものを画像信号として出力する。このカメラは、レンズ装置（撮影レンズ、交換レンズ、ズームレンズ）２に着脱可能に構成されており、ここでは不図示の三脚に固定されている。２はカメラに着脱自在に装着可能なレンズ装置で、被写体の像を前述の撮像素子上に結ぶ撮像光学系を含んでいる。また、このレンズ装置２は前述の撮像光学系の近傍に取り付けられた、ズームやフォーカスを電動制御するドライブユニット３を有している。
【００１７】
また、撮影者がカメラ１（カメラ１及びレンズ装置２、撮像装置）を肩担ぎ撮影する時には、このドライブユニット３を手で保持してカメラ撮影をする。つまり、ドライブユニット３は、撮影者が変倍動作（ズーミング動作、ズームレンズの駆動）や合焦動作（フォーカシング動作、フォーカスレンズの駆動）を直接操作するための操作部を備えている。
【００１８】
４は受信ユニットでカメラ１に固定する。受信ユニット４はケーブル５を介してドライブユニット３のコネクタ３ａに接続（コネクタ接続）される。
【００１９】
６は送信ユニットで受信ユニット４に対して無線で通信する。三脚にはカメラ１の撮影方向を調整するために操作するパン棒が備えてあり、送信ユニット６は、そのパン棒に固定する。送信ユニット６には２つのコネクタ６ａと６ｂを持ち、それぞれのコネクタにはズームコントローラー７とフォーカスコントローラー８をケーブル接続する。ズームコントローラー７とフォーカスコントローラー８も、図示していないパン棒に固定する。カメラマンが手元のズームコントローラー７とフォーカスコントローラー８を操作すると、指令信号（操作信号）が送信ユニット６から無線で受信ユニット４へ送信される。この受信ユニットで受けた指令信号に基づいて、レンズ装置２のズームとフォーカス等を調整することができる（遠隔制御可能とする、遠隔操作可能とする）。勿論、ズームやフォーカス以外の操作信号、例えば絞り（アイリス）の調整や、録画する／しないの切り替えや、パン、チルトの操作等を指示する操作信号の送信も可能である。
【００２０】
ハンディカメラを用いたスタジオでの収録現場では、三脚に設置して撮影している撮像装置（カメラ及びレンズ装置）を、カメラマンが突然肩担ぎ撮影に使うケースがある。ワイヤレス通信装置を介してレンズ装置２を操作することで、カメラマンはカメラを三脚で支持する撮影スタイルと、撮像装置（カメラ及びレンズ装置）を肩に担ぐ撮影スタイルを迅速に切換えることが可能である。
【００２１】
またカメラ１を三脚で支持した状態で常時撮影する時には、ズームコントローラー７とフォーカスコントローラー８のケーブルを直接ドライブユニット３のコネクタ３ａに接続することも可能である。この時受信ユニット４と送信ユニット６は不要となる。即ち、受信ユニットと送信ユニットは撮影システムに対して容易に着脱可能であることが望ましい。必要な時に装着して運用することで、撮影システムの便利性が向上する。
【００２２】
また、送信ユニット６の送信機能をズームコントローラー７とフォーカスコントローラー８に内蔵することも可能である。一方で送信ユニット６を独立した装置にして既存のコントローラとケーブル接続して運用することで、既存のコントローラがそのまま使用できるメリットがある。同様に、受信ユニット４をドライブユニット３に内蔵せず、独立した装置にすることにより、既存のレンズ装置をそのまま運用することができる。
【００２３】
図２は受信ユニット４の形状を示した構造図である。本実施例においては、受信ユニット４はカメラ１に着脱可能（固定可能）な形状としている。図中５はレンズ装置２のドライブユニット３に接続するケーブルである。受信ユニット４の筐体は樹脂で形成され、筐体の内部には無線信号を受信するアンテナが内蔵されている。筐体の１つの面には、筐体に別の部品を取り付けるためのネジ穴（貫通穴でも貫通穴でなくても構わない）９と溝穴（貫通穴）１０及び１１が設けられている。溝穴１０は図に示すように、筐体の２つの面に開口部を有しており、この開口部の形状が横長或いは縦長（第１方向の長さが第１方向と垂直な第２方向の長さよりも長い、或いは短い）の形状をしている。また、溝穴１１も溝穴１０と同一の形状であり、溝穴１０と同様に筐体の２つの面に開口部を有している。
【００２４】
受信ユニット４の取り付け対象となるカメラの形状は様々である。あらゆる形状のカメラに対して、着脱自在に装着できなければならない。また受信ユニット４を装着した状態で、カメラマンがカメラを肩に担いで撮影することが考えられる。三脚撮影から瞬時に肩担ぎ撮影に移行する場合や、カメラマンが自分でズームやフォーカスを操作する余裕がなく、別のレンズ操作者がカメラマンに同行してレンズを遠隔操作する場合である。さらにカメラ撮影は、カメラを肩に担いだ状態の撮影スタイルや、低い姿勢からカメラの取手を掴んだ状態で撮影するスタイルなど様々である。あらゆる撮影方法において、受信ユニット４が撮影時のレンズ操作やカメラ操作の妨げになってはならない。この様に受信ユニット４の固定方法や固定位置には求められる要求が多い。
【００２５】
これらの理由から、本実施例では、受信ユニットのカメラ１或いはレンズ装置２への装着方法（固定方法、固定手段）は、互いに異なる複数の方法（手段）の中から選択できるようにしている。具体的には、この受信ユニットが、前述の選択可能な装着方法（固定手段、固定方法）に対応する部位（貫通穴や、ネジ穴や、突起部等）を含むように構成されている。ここでは受信ユニットが、第１の固定方法と第２の固定方法のそれぞれに対応した第１部位（穴や突起部等）と第２部位（穴や突起部等）とを有する構成としている。図３は複数の固定方法のうち、１つ目の固定方法を説明する図であり、ここでは、受信ユニットをアダプター部材を使って、カメラやレンズ装置に対して固定している。受信ユニット４に設けたネジ穴９にカメラ取り付け板（アダプター部材）１２を固定ビス１３で固定している。図４は受信ユニット４をカメラ１に固定した様子を示す外観図である。この実施例では、受信ユニット４をカメラ１のビューファインダー１ａの上に配置している。ビューファインダー１ａは、環状の固定ネジ１ｂを締め付けることでカメラ１に対して固定される。本実施例では、受信ユニット４のカメラ取り付け板（アダプター部材）１２をビューファインダー１ａと固定ネジ１ｂの間に挿入し、固定ネジ１ｂを締め付けることで受信ユニット４をカメラ１に固定している。受信ユニット４をビューファインダーの上部に配置することにより、カメラを肩に担いだ時の撮影や、カメラの取手を掴んで低い姿勢から撮影する時においても、受信ユニット４が撮影操作の妨げになることはない。通常レンズやカメラを操作するうえで、ビューファインダーの上部に手が触れることが少ないためである。またカメラ１の上部に配置することは、周囲に受信の障壁となる部品がないために、受信特性の観点から有利である。さらに受信ユニット４をカメラビューファインダー近傍に配置することで、ドライブユニット３との距離が近くなり、接続するケーブル５の長さを短くすることができる。その結果、配線するケーブル５が撮影操作の邪魔となる可能性を低減することができる。
【００２６】
また、図３に示したカメラ取り付け板１２にはピン２０がカメラ取り付け板１２から受信ユニット４側へ突設され、図２に示す嵌合穴１９に係合する。図３の固定ビス１３を緩めることにより、カメラ取り付け板１２は係合ピン２０を中心に、取り付け角度を変更することも可能である。例えば、カメラのビューファインダーを上方向に跳ね上げる時に、受信ユニット４が妨げになる時には、受信ユニット４の向きを調整することができる。
【００２７】
図５は複数の固定方法のうち、２つ目の固定方法を説明する構造図である。受信ユニット４に設けた２つの溝穴１０および１１の両方にベルト（アダプター部材）１４を通している。図６はベルト４を用いて受信ユニット４をカメラ１に固定した様子を示している。受信ユニット４の２つの溝穴を通したベルト４を、さらにカメラ（又はレンズ装置）の外装面（外装、外周、外周面）に１周巻き付け、ベルト４の一端に設けたマジックテープ（登録商標）でベルト同士を固定している。図６では、カメラマンが撮像装置（カメラ及びレンズ装置）を肩に担いだ時の邪魔にならないように、カメラマンの顔とは反対側のカメラ側面に固定している。
【００２８】
図４では受信ユニット４をカメラのビューファインダーの上に配置する例を示したが、全てのカメラがビューファインダーの上に固定できるとは限らない。ベルトを用いることで、固定位置が限定されずに任意の位置に受信ユニット４を固定することができる。またスタジオレンズの様な箱型のレンズ筐体に対しても、ベルトを用いて受信ユニット４を装着することが可能である。
【００２９】
図７は複数の固定方法のうち、３つ目の固定方法を説明する構造図である。図２で説明した受信ユニット４のネジ穴９に固定金具（アダプター部材）１５を固定ビス１６で固定する。また可動金具１７は、締め付けつまみ１８を回転操作することで固定金具１５との間隔を可変調節できる。図８は受信ユニット４をカメラ１に固定した様子を示している。締め付けつまみ８を締めこむことで、受信ユニット４をカメラ１の取っ手１ｃを挟み込む形で固定している。一般的にハンディカメラの上部には図示した様な取手を備えている。実施例に示したような金具部品でしっかりと挟み込むことにより、撮影中に受信ユニット４に衝撃が加わる時においても強固に固定することができる。また受信ユニット４をカメラの一番高い位置に配置しているので、無線信号の受信特性には有利である。
【００３０】
以上説明したように、本発明の受信ユニットの筐体にはカメラ取り付け板とベルトの複数の固定手段が利用できる形状となっている。カメラマンは撮影状況に応じてこれら複数の固定手段の中から択一的に１つを選択して受信ユニットを固定する。レンズ装置（撮影レンズ、撮像レンズ、ズームレンズ）の無線遠隔操作に必要な受信装置が、あらゆる撮影機材に装着可能であり、また様々な撮影スタイルにおいても撮影操作の妨げにならずに装着できる。その結果、受信装置をカメラに装着した状態でカメラ撮影する場合においても、受信装置が撮影の妨げになることなく、使い勝手の良い撮影環境を提供することができる。
【００３１】
実施例では受信ユニットをカメラに配置する場所を３つ紹介したが、この他カメラ後部のバッテリー装着部に取り付けることも可能である。またレンズのズームやフォーカスを遠隔から操作する目的で無線通信装置を例示したが、送信ユニットと受信ユニットの間は撮影に関わるあらゆる情報の双方向通信を実施しても構わない。
【符号の説明】
【００３２】
１  カメラ
２  レンズ装置
４  受信ユニット
９  ネジ穴
１０  溝穴
１１  溝穴
１２  カメラ取り付け板
１４  ベルト
【図１】
2011223310.tif 000003
【図２】
2011223310.tif 000004
【図３】
2011223310.tif 000005
【図４】
2011223310.tif 000006
【図５】
2011223310.tif 000007
【図６】
2011223310.tif 000008
【図７】
2011223310.tif 000009
【図８】
2011223310.tif 000010